(57)【特許請求の範囲】
【請求項１】
第１の保護層と第２の保護層との間に液晶を封じ込むとともに一方の保護層の外面側に導電層を有しておりかつ情報記録表示装置に装着されて文字・画像等の情報の書換えが自在でありこの情報を表示するとともに記憶することができる情報表示媒体と、該情報表示媒体に情報を記録する情報記録表示装置とからなり、情報表示媒体が情報記録表示装置に密着して情報を記録する情報記録表示システムを構成する情報記録表示装置であって、
前記情報表示媒体に表示する情報を書換自在に記憶する情報記憶手段と、
前記情報表示媒体を装着する媒体装着手段と、
前記情報表示媒体に前記情報記憶手段の情報を書き込む情報書込手段と、
前記情報表示媒体を前記媒体装着手段に密着させる媒体密着手段
とを備えたことを特徴とする情報記録表示装置。
【請求項２】
上記情報記録表示装置において、前記情報表示媒体を交換可能に保持する媒体保持手段を備えたことを特徴とする請求項１に記載の情報記録表示装置。
【請求項３】
上記情報記録表示装置において、前記情報表示媒体を前記媒体装着手段に搬入する媒体搬入手段を備えたことを特徴とする請求項１に記載の情報記録表示装置。
【請求項４】
上記情報記録表示装置において、上記情報表示媒体に表示されている情報の顕像化を制御する顕像化手段を備えたことを特徴とする請求項１ないし請求項３のいずれか１項に記載の情報記録表示装置。
【請求項５】
上記顕像化手段の動作が所定の符号に基づいて制御されることを特徴とする請求項４に記載の情報記録表示装置。
【請求項６】
上記情報記録表示装置において、上記情報表示媒体の位置を検知する媒体位置検知手段を備えたことを特徴とする請求項１ないし請求項３のいずれか１項に記載の情報記録表示装置。
【請求項７】
上記情報記録表示装置において、さらに手書入力を行う手書入力手段備え、該手書入力手段を用いて情報記録表示装置の動作を制御することを特徴とする請求項１ないし請求項３のいずれか１項に記載の情報記録表示装置。
【請求項８】
上記情報記録表示装置において、上記情報表示媒体に表示されている情報を消去するモードを選択する情報消去モード選択手段を備えたことを特徴とする請求項１ないし請求項３のいずれか１項に記載の情報記録表示装置。
【請求項９】
上記手書入力手段により、上記情報表示媒体に表示されている情報の部分消去を行うことを特徴とする請求項８に記載の情報記録表示装置。
【発明の詳細な説明】
【０００１】
【発明の属する技術分野】
本発明は、文字・画像等の情報の書換えが可能な情報表示媒体を用いて、情報の書込みおよび消去、表示および閲覧を行う情報記録表示システムに関する。
【０００２】
【従来の技術】
従来から、情報を記録し表示する手段として紙を用いることが広く行われている。この紙を用いる記録方法は、以下のような長所を有している。
【０００３】
すなわち、画像や文字などの情報を記録する媒体として広く用いられている紙は、ＣＲＴ（ｃａｔｈｏｄｅ  ｒａｙ  ｔｕｂｅ）や液晶ディスプレイなどと異なり、複数枚並べて情報を見る一覧性に優れ、複数枚並べて情報を容易に比較検討することができるほか、多少乱雑な取り扱いをしても情報の保存性がよく、見る場所、配置などの自由度が大きい、などの利点を有している。
【０００４】
また、紙は、大量の情報を複数枚に分けて保持することにより、ＣＲＴや液晶ディスプレイの画面のように毎回書換えたりスクロール機能によって情報を検索する方法と異なり、必要な情報を複数枚の情報から感性により直感的に検索することが出来る利点がある。
【０００５】
さらに、人間は周囲の視認情報の大部分を反射光により認識していることから、反射型表示媒体である紙は人間の思考作業の効率を高める作用があると考えられる。このことは、ＣＲＴや液晶ディスプレイ上の画面をわざわざ紙にプリントアウトし作業を行うといった行動にも裏付けられている。
【０００６】
しかしながら、このような利点を有する紙にも、以下のような欠点がある。すなわち、不必要になった情報が表示された紙は、書換えを行うことが困難あるいは手間がかかるために使い捨てられ、紙の使用量が増大する一方である。また、紙は電子データを直接的に入出力することが出来ず、書換えも基本的に出来ないため、紙一枚あたりの情報量が限定されており、大量の情報表示には、大量の紙が必要となることから、携帯性に欠け保管スペースを大量に要し、森林資源の枯渇化・環境負荷の増大を招く問題点を有している。
【０００７】
一方、パーソナルコンピュータの普及により大量の電子データを取り扱う作業が多くなった昨今においては、ＣＲＴや液晶ディスプレイを電子データの表示媒体として用いる場面が多くなり、電子データの直接的な入力ができず書換えも困難である紙は不便な表示媒体となりつつある。
【０００８】
しかしながら、ＣＲＴや液晶ディスプレイは、消費電力が大きい点や眼精疲労等を招き反射表示に慣れた人間の思考作業効率を低下させる問題点を有している。また解像度等の表示品位が紙に比較し劣るという問題点を有する。さらに携帯性に欠け、必要に応じて情報を複数枚並べて一覧表示出来る、紙のような一覧性が不足している。
【０００９】
そこで、紙の利便性を保持しつつ、ディスプレイのように電子データが入出力でき、何度も書換えが可能な記録媒体が期待されている。
【００１０】
このような記録媒体の例として、たとえば、特開平６−６７１４１号公報に開示される技術が挙げられる。
【００１１】
この技術は、高分子材料と低分子液晶との複合膜や高分子液晶と低分子液晶との複合膜などの光変調部材の両面に、有機または無機の保護層を設けたものからなる記録媒体シートが用いられており、記録媒体シートに印加する電界により液晶の配列状態を変化させ、情報の書込みおよび消去を行うものである。
【００１２】
具体的には、記録媒体シートは以下の書込消去装置を用いて書込消去を行なっている。まず、初期化電源が接続された２本のロール間を記録媒体シートが通過することにより、高周波電圧もしくは記録媒体シートに画像情報を書き込んだ電荷あるいは電圧の極性とは逆極性の電荷あるいは電圧が印加され、情報が消去されて初期化される。その後、コロナ帯電器によりマイナスの電荷に帯電させた有機感光体の表面上に対応した電荷あるいは電荷パターンを与えることにより情報の書込みを行う。
【００１３】
情報が書き込まれた情報媒体シートは、感電防止のため、除電用の２本のロールの間を通過させて電荷を持去した後に排出される。記録媒体シートは、厚み０．１ｍｍ程度のプラスチック性フィルム状であり、かつ文字や画像情報の書換え・消去が何回でも可能であり、さらにメモリー性を持つために、書き込んだ情報を長期間保持することができる。
【００１４】
しかしながら、上記技術によれば、記録媒体シートと書込消去装置は完全に分離した状態で使用するため、書換えには煩雑さを要し、利用者が積極的に書込消去装置を使用しない限り、記録媒体を再利用することができない。
【００１５】
一方、他の記録媒体および情報記録表示装置の例として、本発明者は特開２０００−１９９８０号公報に示される技術を開示している。
【００１６】
この情報記録表示装置は、情報記録シートである液晶ペーパーに電界を印加することによって、液晶ペーパーに情報を記録したり、記録された情報を消去したりすることができる情報書込消去部を有しているとともに、液晶ペーパーを情報書込消去部に搬送可能に保持するシート収納部とを備えている。
【００１７】
上記情報記録表示装置では、液晶ペーパーに用いられる液晶として、好ましくは、低分子コレステリック液晶材料や高分子材料とコレステリック液晶との複合系材料を用いている。
【００１８】
しかしながら、上記技術によれば、液晶ペーパーに書込み消去を行う際、情報書込消去部に液晶ペーパーを毎回搬送する必要があり、ディスプレイのように電気駆動回路への電子データの入出力に同期して表示内容を書き換えることができないため、表示内容の更新には時間を要するという問題点がある。また、情報記録表示装置内に記録媒体シートが格納されるため情報が記録されたシートを情報記録表示装置より取り外し、従来の紙ドキュメントのように使用することは困難である。
【００１９】
さらに、他の記録媒体および情報記録表示装置の例としては、たとえば、特開平９−１０１８６４号公報に開示された技術が挙げられる。
【００２０】
この従来技術は、熱による書換可能な記録媒体を、多数の発熱素子から成るヒートパネルを有する情報記録表示装置に載置し、情報蓄積媒体（記憶媒体）から読み出された画像の電子データに応じて発熱素子が発熱することにより情報記録媒体に画像情報の記録を行うものである。
【００２１】
また該装置には、手書入力の認識を行う入力フィルムがヒートパネル表面に開閉自在に装着されており、該情報表示媒体をヒートパネルと入力フィルムの間に保持し手書入力を行うことにより手書情報が該情報表示媒体に記録できるようになっている。書き込まれた情報表示媒体は装置から取り外して従来の紙ドキュメントと同様に使用することができる。
【００２２】
しかしながら、上記技術によれば、情報表示媒体をヒートパネルに載置し書込みを行う際、特定の固定手段がないため情報表示媒体とヒートパネルの密着性が悪く、書込みが不完全となる可能性が有る。また、情報表示媒体を載置し書込みを行うので、基本的には水平に情報記録表示装置を設置した状態でのみ書込み消去が可能であり、記録媒体を挟んだままディスプレイなどのように表示面の角度・位置を自由に変え、ディスプレイのような表示用途として使用するには不向きである。
【００２３】
同様に、情報表示媒体を情報記録表示装置に固定する手段がないので、記録媒体をはさんだままの状態で記録装置を携帯性を有する表示装置として使用することは困難である。
【００２４】
【発明が解決しようとする課題】
本発明は、紙のように取り扱いやすく、一覧性にすぐれ、人間の作業効率を向上する反射型表示を実現し、且つディスプレイのように大量の電子データを直接的に入出力できる、紙とデイスプレイの両方の作業性・利便性を実現する情報記録表示装置において、情報表示媒体を情報記録表示装置に密着させ固定させることによりディスプレイとしての機能（情報“表示”装置としての機能）を発現させることができ、さらにその状態での携帯性を持たせることによりその作業性・利便性を向上させることを目的とする。
【００２５】
また、本発明は、書込作業の確実性を向上させ、一般の般のハードコピー装置やディスプレイの信頼性と同等の信頼性を付与した情報記録表示装置を提供することを目的とする。
【００２６】
一般に紙に対して用いられる手書入力部材は、書込作業（鉛筆、ボールペン等）と消去作業（消しゴム等）で別々の部材を使用する必要があるのに対し、本発明は、手書入力情報を電子データで入力することを利用し、書込み・消去のどちらの操作も一つの手書入力部材で行えるようにした情報記録表示装置を提供することを目的とする。
【００２７】
さらに、本発明は、一般に紙に対する書込作業・消去作業のために用いられる手書入力部材を、手書入力情報を電子データで入力することを利用し、情報記録表示装置の各動作を制御するためのツールとしても使用できるようにした情報記録表示装置を提供することを目的とする。
【００２８】
本発明は、通常の状態では読み取ることができないように情報記録用シートに記録した機密情報を記録表示する機密情報記録表示装置を提供することを目的とする。
【００２９】
【課題を解決するための手段】
上記課題を解決するために、本発明は、文字・画像等の情報の書換えが自在でありこの情報を表示するとともに記憶することができる情報表示媒体（情報記録用シート）と、該情報表示媒体に情報を記録する情報記録表示装置とからなる情報記録表示システムを構成する情報記録表示装置であって、前記情報表示媒体（情報記録用シート）に表示する情報を書換自在に記憶する情報記憶手段（記憶媒体挿入部、記憶部）と、前記情報表示媒体を装着する媒体装着手段（シートセット部、装置本体）と、前記情報表示媒体に前記情報記憶手段の情報を書き込む情報書込手段（透明画素電極、電極駆動回路、樹脂薄膜、情報書込処理手段）と、前記情報表示媒体を前記媒体装着手段に密着させる媒体密着手段（変形部材、シート支持機構）とを備えた。
【００３０】
上記課題を解決するために、本発明は、上記情報記録表示装置において、さらに、前記情報表示媒体を交換可能に保持する媒体保持手段（上面カバー）を備えた。
【００３１】
本発明は、上記情報記録表示装置において、さらに、前記情報表示媒体を前記媒体装着手段に搬入する媒体搬入手段（シート挿入口）を備えた。
【００３２】
本発明は、上記情報記録表示装置において、上記情報表示媒体に表示されている情報の顕像化を制御する顕像化手段（顕像化部材）を備えた。
【００３３】
本発明は、上記情報記録表示装置において、上記顕像化手段の動作が所定の符号に基づいて制御されるようにした。
【００３４】
本発明は、上記情報記録表示装置において、上記情報表示媒体の位置を検知する媒体位置検知手段（シート検知部、シート端センサー）を備えた。
【００３５】
本発明は、上記情報記録表示装置において、さらに手書入力を行う手書入力手段（手書入力部材、感知部材）を備え、該手書入力手段を用いて情報記録表示装置の動作を制御するようにした。
【００３６】
本発明は、上記情報記録表示装置において、上記情報表示媒体に表示されている情報を消去するモードを選択する情報消去モード選択手段を備えた。
【００３７】
本発明は、上７手書入力手段により、上記情報表示媒体に表示されている情報の部分消去を行うようにした。
【００３８】
【発明の実施の形態】
以下、本発明にかかる情報記録表示システムについて説明する。本発明にかかる情報記録表示システムは、情報表示媒体として働く情報記録用シートと、該情報表示媒体に情報を記録する情報記録表示装置とから構成される。まず、図１を用いて、本発明にかかる情報記録表示システムに用いる情報記録用シートの構成を説明する。
【００３９】
まず、本発明にかかる情報記録表示システムに用いる情報記録用シート５について説明する。図１（ａ）は情報記録用シート５の構造を模式的に示す縦断面図である。
【００４０】
上記情報記録用シート５は、第１の保護層５１と第２の保護層５２との一対の保護層間に液晶層５３を挟持し、さらに第２の保護層５２の外面側に導電層５５を形成した構造となっている。第１の保護層５１と第２の保護層５２は、液晶層５３の外縁で接着剤により接着されている。この接着剤により上記第１の保護層５１と第２の保護層５２間に接着層５４が形成され、一対の第１の保護層５１と第２の保護層５２とその外縁に設けた接着層５４で形成する空間内に液晶が封入されて、液晶層５３を形成する。
【００４１】
第１の保護層５１と第２の保護層５２は、例えばＰＥＴ（ポリエチレンテレフタレート）からなる薄膜シートで構成される。なお、第１の保護層５１と第２の保護層５２は、少なくとも一方の保護層が上記ＰＥＴのような透明性および可撓性を有する樹脂等の素材で構成されていればよく、他方の保護層は不透明な素材であってもよい。
【００４２】
液晶層５３を構成する液晶材料としては、例えば低分子コレステリック液晶材料、高分子材料とコレステリック液晶との複合系材料等が用いられる。
【００４３】
低分子コレステリック液晶材料としては、コレステロール誘導体からなるコレステリック液晶や、ネマティック液晶にカイラル剤を所定量添加することにより得られるカイラルネマティック液晶等を用いることができる。
【００４４】
上記ネマティック液晶としては、たとえばメルク社製のＥ７、Ｅ４８、Ｅ８、Ｅ４４、Ｍ４８などが用いられる。また、カイラル剤としては、メルク社製のＣＥ２、ＣＢ１５、ＣＮ、Ｓ−８１１などが用いられる。
【００４５】
高分子材料とコレステリック液晶との複合系材料としては、高分子材料にアクリル樹脂を用い、液晶にコレステリック相を示す液晶を用いる。
【００４６】
上述した液晶材料からなる液晶層５３を挟持する第１の保護層５１と第２の保護層５２のうち、第２の保護層５２の外面上に形成された導電層５５は、第１の保護層５１と第２の保護層５２間の電位を確保するためのものであり、たとえば、第２の保護層５２が透明な素材で形成される場合には、アイ・ティー・オー（ＩＴＯ：Ｉｎｄｉｕｍ  Ｔｉｎ  Ｏｘｉｄｅ）のような透明導電膜を用いて形成される。第２の保護層５２が不透明な素材で形成される場合には、不透明な金属の導電膜とすることができる。
【００４７】
第２の保護層５２を情報記録表示装置に設けたアース側電極に密着させて使用する場合には、上記導電層５５は必ずしも必要ではない。
【００４８】
また、上記導電層５５は、図１（ｂ）に示すように保護層５２と液晶層５３との間に形成してもよい。この場合、導電層５５は保護層５２の外面側に回り込んだ回込部５６を有する状態にし、情報記録用シート５を情報記録表示システムを構成する情報記録表示装置に設置する際、情報記録表示装置に設けたアース手段と導電層５５の回込部５６が接触してアースが取れる状態にする。
【００４９】
また、図示しないが、図１（ａ）の導電層５５と保護層５２との間に、コントラストを向上させるための着色層を設けることができる。この着色層は、液晶層５３に使用する液晶との関係からどういう色の組み合せで表示を行うかを決定することにより、適宜設定すればよい。
【００５０】
上記導電層５５を着色することにより、導電層５５自体が着色層を兼ねるようにし、該導電層５５を装置本体１０に接触しアースが取れる構成としてもよい。
【００５１】
上記接着層５４を形成する接着剤としては、たとえばエポキシ樹脂やアクリル樹脂などが使用可能である。
【００５２】
上記構成の情報記録用シート５に対して、情報記録表示装置により情報を書き込むときの印加電圧は、第１の保護層５１と第２の保護層５２の厚さや液晶の材質などにより異なる。たとえば、液晶層５３をカイラルネマティック液晶（Ｅ７とＳ−８１１の９：１混合物）で構成し、層厚を１０μｍとしたとき、液晶層５３に初期化電圧としてＤＣ３０Ｖを印加することでホメオトロピック状態（液晶分子が鉛直方向に配列した状態）となり急激に０Ｖにすることで透明性を有するツイストプレーナー状態（ある波長を選択的に反射する状態）になる。同様に、書込電圧として液晶層５３にＤＣ１０Ｖを印加することでフォーカルコニック状態となり白濁する。上記液晶材料はツイストプレーナー状態での選択反射波長を赤外域になるように液晶層５３が構成されているので、下面に黒の着色層を設けておけば白黒表示が得られる。
【００５３】
情報記録用シート５は、メモリー性を有するので、情報記録表示装置の電源を切ってもあるいは情報記録用シート５を情報記録表示システムから取り出しても、書き込まれたデータは損なわれない。よって、電源を切つて静止画を表示させたり、情報記録表示装置から取り出して紙ドキュメントのように扱うことも可能である。
【００５４】
上記した情報記録用シート５は、本発明の情報記録表示装置による記録・表示以外にも、特開平６‐６７１４１号公報に示されるような従来の複写機等の電子写真プロセスを利用して情報を記録することも可能である。
【００５５】
つぎに、図２〜図７を用いて、本発明の情報記録表示システムを構成する第１の実施の形態にかかる情報記録表示装置の構造を説明する。図２は本発明の情報記録表示システムを構成する第１の実施の形態にかかる情報記録表示装置の構造の概要を示す外観斜視図であり、図３は図２の情報記録表示システムを構成する情報記録表示装置に情報記録用シートがセットされた状態でのＡ−Ａ線での縦断面図であり、図４は図２に示した情報記録表示装置の上面カバーが開いた状態を模式的に説明する側面図である。図５は図２に示した情報記録表示装置の上面カバー部の平面構造と情報記録用シートとの配置関係を説明する図であり、図６は該情報記録表示装置のシートセット部の平面構造と情報記録用シートとの配置関係を説明する模式図であり、図７はシートセット部の図６のＢ‐Ｂ線での一部分を省略した縦断面図である。
【００５６】
図に示すように、本発明の情報記録表示システムは、前記情報記録用シート５と、このシートを搭載する情報記録表示装置１から構成される。
【００５７】
第１の実施の形態にかかる情報記録表示システムの情報記録表示装置１の構造を説明する。この実施の形態の情報記録表示装置は、上面カバーを開閉して情報記録用シートを載置する形態を採用した装置である。
【００５８】
図２〜図７に示すように、第１の実施の形態にかかる情報記録表示システムの情報記録表示装置１は、情報記録用シート５をセットするシートセット部１１を有する装置本体１０と、装置本体１０にヒンジ１９を介して開閉可能に取り付けられた上面カバー３０からなる。
【００５９】
情報記録表示装置１の装置本体１０は、シートセット部１１と、変形部材１２と、操作部１４と、第１の開閉感知部材１５１と、外部記憶媒体７を挿入する外部記憶媒体挿入部１６等を有して構成される。
【００６０】
装置本体１０の手前表面に設けた操作部１４は、情報記録表示システムを操作する部分であり、装置の電源をＯＮ／ＯＦＦする電源ボタン１４１、ページ送りやページ戻りを行わせるページめくりボタン１４２，１４３、画面の記録・表示を行なわせる記録ボタン１４４、画面の消去を行わせる消去ボタン１４５が設けられる。
【００６１】
シートセット部１１は、装置本体１０の上面の操作部１４を除くほぼ全面にわたって情報記録用シート５とほぼ同様の形状に設けられ、情報記録用シート５をセットしたときに情報記録用シート５を受け入れるくぼみ１１１を有している。シートセット部１１のくぼみ１１１には、弾力性および導電性を有する変形部材１２が埋め込まれている。変形部材１２と装置本体１０は、接触部分を介して電気的に導通している。さらに、変形部材１２には、図７に示すように、シートサイズを検知する感圧タブレット１３を設けることができる。
【００６２】
変形部材１２の材料としては、たとえば、通常の弾力性を有する樹脂上にアルミニウムなどの金属をコーティングして得た材料、ＥＴＦＥ（エチレン−四フツ化エチレン共重合体），ＰＥＥＫ（ポリエーテルエーテルケトン），レーヨン，ナイロンなどにカーボンブラックなどの導電剤を添加して導電性を付与した弾力性を有する樹脂、ウレタンゴム，シリコーンゴムやエチレン・プロピレンゴムなどのゴム材料にカーボンブラックやイオンなどの導電剤を添加して導電性を付与した弾力性を有するゴムなどが挙げられる。
【００６３】
図７に示すように、装置本体１０のシートセット部１１は、情報記録用シート５がセットされた状態で、その上面αが装置本体１０の上面βより少し突出するように構成されている。よって、上面カバー３０を閉じると、変形部材１２の弾性力により情報記録用シート５は上面カバー３０の書込手段に密着されるようになる。
【００６４】
上面カバー３０が閉じられたことを感知する第１の開閉感知部材１５１は、装置本体１０のフレームの上面に設けられている。
【００６５】
外部記憶媒体挿入部１６には、情報記録用シート５に記録する情報などが格納された外部記憶媒体７が挿入される。
【００６６】
上面カバー３０は、フレーム３５と、該フレーム３５に保持される透明基板３１と、該透明基板３１の一面に設けた透明画素電極群３２と、透明画素電極群３２と情報記録用情報記録用シート５との密着性をよくし透明画素電極群３２を接触の負荷から保護する役目を有する樹脂薄膜３３と、電極駆動回路３４と、フレーム３５の下面に設けた第２の開閉感知部材１５２とを有して構成される。
【００６７】
透明画素電極群３２と電極駆動回路３４と樹脂薄膜３３で、情報を情報記録用シート５に書き込む書込手段を構成している。
【００６８】
フレーム３５は、各上面カバー構成要素を格納し、上面カバー３０の破損・変形を防止する役目を有しており、高い剛性を有する樹脂やマグネシウム合金等の軽量かつ頑強な材料を用いて形成される。
【００６９】
図３に示すように、装置本体１０に第１の閉じ具２１１を設け、上面カバー３０のフレーム３５に第１の閉じ具２１１に対応する位置に第２の閉じ具２１２を設け、第１の閉じ具２１１および第２の閉じ具２１２により、間に情報記録用シート５を挟んだ状態で装置本体１０に上面カバー３０を圧着状態に固定する。
【００７０】
透明基板３１は、たとえばポリカーボネート等の透明性および平滑性が良く軽くて割れない変形の少ない樹脂材料から構成され、情報記録用シート５との密着面側には、透明画素電極群３２が設けられている。
【００７１】
透明画素電極群３２は、ＩＴＯを用いて構成され、それぞれＴＦＴ（：Ｔｈｉｎ  Ｆｉｌｍ  Ｔｒａｎｓｉｓｔｏｒ；例えば、アモルファスＳｉ‐ＴＦＴ、高温多結晶Ｓｉ‐ＴＦＴ、低温多結晶Ｓｉ‐ＴＦＴ）あるいはＭＩＭ（ＭｅｔａｌＩｎｓｕｌａｔｏｒ  Ｍｅｔａｌ）素子などのスイッチング素子を介して電極駆動回路３４に接続された複数の個別の透明画素電極をマトリクス状に配置して構成されている。
【００７２】
樹脂薄膜３３は、透明画素電極群３２と情報記録用シート５とが直接接触することによって透明画素電極面が損傷することを避け、且つ透明画素電極群３２と情報記録用シート５との密着性をあげる働きを有しており、０．５μｍ以下程度の極薄ポリエチレン密着性フィルム等を用いて透明画素電極群３２の表面に形成される。
【００７３】
電極駆動回路３４は、透明画素電極群３２の外周に配され、かつ、ＴＡＢ（Ｔａｐｅ  Ａｕｔｏｍａｔｅｄ  Ｂｏｎｄｉｎｇ）方式等により透明基板３１上に設けられている。電極駆動回路３４は、個別の透明画素電極毎に、記録する情報に対応した電圧を印加する。
【００７４】
上面カバー３０を閉じた状態で、装置本体１０と上面カバー５とが接触する部分に、第２の開閉感知部材１５２を設ける。装置本体１０に設けた第１の開閉感知部材１５１と上面カバー３０に設けた第２の開閉感知部材１５２とで上面カバー３０の開閉を感知する開閉感知部１５を構成する。
【００７５】
開閉感知部１５を構成するセンサーとして、各種感圧センサーを用いたり、第１の開閉感知部材１５１および第２の開閉感知部材１５２を導電性を有する樹脂等で構成し、両感知部材間に微弱電流を流してその導通の有無により開閉を感知するタイプ等のセンサーを用いることができ、その他のセンサーを用いることもできる。
【００７６】
開閉感知部１５が、上面カバー３０が閉じた状態を感知すると、情報記録表示装置１は、ＣＰＵ（Ｃｅｎｔｒａｌ  Ｐｒｏｃｅｓｓｉｎｇ  Ｕｎｉｔ）処理により書込（電圧印加）待機状態となる。上面カバー３０の閉じ込みが不完全な状態では、開閉感知部１５が上面カバー３０が閉じたことを感知せず、記録ボタン１４４を操作しても書込（電圧印加）処理は行われない。
【００７７】
図７に示すように、装置本体１０のシートセット部１１に情報記録用シート５をセットし、情報記録用シート５への書込（消去）手段を有する上面カバー３０を閉じて上面カバー３０を情報記録用シート５を密着させ、透明画素電極に所定の電圧を印加することによって、情報記録用シート５ヘの情報の記録または記録された情報の消去を行う。
【００７８】
情報記録用シート５に記録した情報は、上面カバー３０を閉じたままの状態で透明基板３１を通して上から見えるようになっている。
【００７９】
図５に示すように、上面カバー３０には、シートセット部１１ヘ情報記録用シート５が正常位置にセットされているかを確認しシートサイズを検知するためのシート検知部３６が設けられている。
【００８０】
図６に示すように、情報記録用シート５が装置本体１０のシートセット部１１のａ点を始点とする２辺ａｂ，ａｃに接触している状態を正常位置と定義する。装置本体１０のシートセット部１１のａ点を始点とする２辺ａｂ，ａｃに対応する上面カバー３０の樹脂薄膜３３の部分に、ａ’を始点とする２辺ａ’ｂ’，ａ’ｃ’のシート検知部３６が、配置されている。シート検知部３６は、例えばシートサイズに対応する位置にセンサーを設けることによって形成することができる。シートセット部１１に情報記録用シート５がセットされ上面カバー３０により圧着されると、ａ’点および２辺ａ’ｂ’，ａ’ｃ’の長さをシート検知部３６で感知して、正常位置へ情報記録用シート５がセットされたことおよびシートサイズを碓認することができる。
【００８１】
シート検知部３６が２辺ａ’ｂ’、ａ’ｃ’の長さを検知できず、情報記録用シート５の正常位置へのセットが確認できない場合、情報記録表示装置のＣＰＵは、書き込み（電圧印加）を禁止する書込禁止状態とする。シート検知部３６が２辺ａ’ｂ’、ａ’ｃ’の長さを検知して情報記録用シート５の正常位置へのセットを確認するとともにシートサイズを判断できた場合、シートサイズに対応する画素電極エリアｄを書込（電圧印加）待機状態とし、ａ’点を基準として書込開始位置を判断する。
【００８２】
なお、シート検知部３６のタイプとその検知方法としては、感圧タイプによる圧力検知手段、装置本体１０のシートセット部１１の２辺ａｂ，ａｃに設けたＬＥＤ（Ｌｉｇｈｔ  Ｅｍｉｔｔｉｎｇ  Ｄｉｏｄｅ）と上面カバー３０の２辺ａ’ｂ’、ａ’ｃ’に設けたフォトダイオードからなるセンサーを用いて受光強度によりシート有無を検知する方法などを用いることができる。
【００８３】
シートサイズの検知と情報記録用シート６の正常位置へのセットを検知するシート検知部３６として、上記のセンサーに代えて、図７に示すように、装置本体１０のシートセット部１１のくぼみ１１１内に設けた変形部材１２の内部に感圧タブレット１３を埋め込んで形成することができる。この検知方式は、情報記録用シート５が上面カバー３０により圧着された際、情報記録用シート５が存在する部分とシートが存在しない部分で変形部材１２にかかる圧力に差が生じるように設計されており、その差を感圧タブレット１３が感知してシートサイズを判断できるようになっている。
【００８４】
情報記録用シート５への情報の記録および表示は、記録内容が記憶された外部記憶媒体７を利用する。
【００８５】
ディジタルデータが記憶された外部記憶媒体７を、情報記録表示装置１の外部記憶媒体挿入部１６に挿入し、情報記録表示装置１に備えられるＲＡＭ（Ｒａｎｄｏｍ  Ａｃｃｅｓｓ  Ｍｅｍｏｒｙ）からなる記憶部にディジタルデータを取り込む。記憶部に一旦ディジタルデータを記録することなく外部記憶媒体７から記録回路へ直接ディジタルデータを送ってもよい。
【００８６】
情報記録表示装置１の記憶部（ＲＡＭ）に取り込まれたディジタルデータは、操作部１４の記録ボタンまたは表示動作を操作することにより、情報記録用シート５に記録される。
【００８７】
記憶媒体７としては、ＦＤ（Ｆｌｏｐｐｙ  Ｄｉｓｋ）、Ｚｉｐディスク、ＭＤ（Ｍａｇｎｅｔｉｃｏ‐Ｏｐｔｉｃａｌ）ディスク、ＣＤ−ＲＯＭ（Ｃｏｍｐａｃｔ  Ｄｉｓｋ  Ｒｅａｄ―Ｏｎｌｙ  Ｍｅｍｏｒｙ）、ＣＤ−ＲＡＭ（Ｃｏｍｐａｃｔ  Ｄｉｓｃ−Ｒａｎｄｏｍ  Ａｃｃｅｓｓ  Ｍｅｍｏｒｙ）、ＣＤ−ＲＡＭ−Ｒ（Ｃｏｍｐａｃｔ  Ｄｉｓｃ−Ｒａｎｄｏｍ  Ａｃｃｅｓｓ  Ｍｅｍｏｒｙ―Ｒｅｃｏｒｄａｂｌｅ）、ＣＤ−ＲＡＭ−ＲＷ（Ｃｏｍｐａｃｔ  Ｄｉｓｃ−Ｒａｎｄｏｍ  Ａｃｃｅｓｓ  Ｍｅｍｏｒｙ―ＲｅＷｒｉｔａｂｌｅ）、ＤＶＤ−ＲＯＭ（Ｄｉｇｉｔａｌ  Ｖｉｄｅｏ  Ｄｉｓｋ−Ｒｅａｄ  ＯｎｌｙＭｅｍｏｒｙ）、ＤＶＤ−ＲＡＭ（Ｄｉｇｉｔａｌ  Ｖｉｄｅｏ  Ｄｉｓｋ−Ｒａｎｄｏｍ  Ａｃｃｅｓｓ  Ｍｅｍｏｒｙ）、スマートメデイア等が考えられる。
【００８８】
また、情報記録用シート５に記録するディジタルデータは、パソコンもしくはコンテンツ配信システム等より情報記録表示装置１に取り込むことができる。装置本体１０には、このためのコネクタおよびインタフェースを設けることができる。
【００８９】
情報記録表示装置操作部１４のページめくりボタン１４２，１４３により、外部記憶媒体７からのデータの読込みおよび情報記録用シート５への情報記録および表示を開始したり、複数頁データの場合のページ送りを行う。
【００９０】
このような構造を有する情報記録表示装置１のシートセット部１１に情報記録用シート５を載置した後、上面カバー３０を閉じて情報記録用シート５の表面αに上面カバー３０の樹脂薄膜３３を接触させる。この状態で情報記録用シート５が正常位置にセットされたことおよびシートサイズを判断すると、外部記憶媒体挿入部１６に挿入された外部記憶媒体７から情報を読み出して、電極駆動回路３４を動作させ、透明画素電極群３２と装置本体１０のアース側電極間に情報に対応した電圧を印加して、情報記録用シート５に情報を書き込む。書き込んだ情報は、透明基板を通して読み取ることができる。
【００９１】
図８の機能ブロック図を用いて、第１の実施の形態にかかる情報記録表示装置の機能構成を説明する。第１の実施の形態にかかる情報記録表示装置１は、読取・書込処理部８１と、記憶部８２と、インタフェース８３と、シート位置検知部８４と、シートサイズ検知部８５と、情報書込処理部８６と、情報消去処理部８７と、ＣＰＵ８８と、操作部１４と、開閉感知部１５とを有して構成される。
【００９２】
読取・書込処理部８１は、外部記憶媒体７に記憶された情報を読み取りまたは情報記録表示装置へ送られてきた情報を外部記録媒体７へ書き込む処理を行なう。
【００９３】
記憶部８２は、外部記憶媒体７や外部コンピュータやコンテンツ配信システム７５等から取り込んだ表示情報を記憶する記憶手段であり、例えばＲＡＭを用いて構成される。インタフェース８３は、外部のコンピューターやコンテンツ配備システム７５等から表示情報を取り込むインタフェースである。
【００９４】
シート位置検知部８４とシートサイズ検知部８５は、それぞれシートセット部１１にセットされた情報記録用シート５の位置とシートのサイズを検知する手段であり、前述の感圧タブレット１３やシート検知部３６を用いて構成される。
【００９５】
情報書込処理部８６は、シートセット部１１にセットされた情報記録用シート５に表示情報を記録する処理を実行する手段であり、表示情報を記録に適したデータに変換処理する機能、電極駆動回路３４，透明画素電極群３２，樹脂薄膜３３から構成される書込手段などから構成される。
【００９６】
情報消去処理部８７は、シートセット部１１にセットされた情報記録用シート５に記録された情報を消去する処理を実行する手段であり、表示情報を消去するデータを作成する機能、電極駆動回路３４，透明画素電極群３２，樹脂薄膜３３から構成される書込手段などから構成される。
【００９７】
ＣＰＵ８８は、情報記録表示装置１の全体の動作を処理する。
【００９８】
操作部１４は、電源のＯＮ／ＯＦＦや，ページ送り，記録消去の指示などを送出する手段であり、前述の操作部１４に相当する。
【００９９】
開閉感知部１５は、上面カバー３０の開閉状態を検知する手段であり、前述の開閉感知部１５に相当する。
【０１００】
本発明の情報記録表示装置１は、手書入力に対応させる構成とすることができる。図９および図１０を用いて、本発明の第２の実施の形態にかかる情報記録表示装置について説明する。この情報記録表示装置は、第１の実施の形態にかかる情報記録表示装置１に情報を手書きで入力する機能を具備させた点に特徴を有している。
【０１０１】
この情報記録表示装置は、外部記憶媒体７に格納されたデータを用いずに、白紙にメモするように手書入力部材７６を用いて、上面カバー３０の表面から手書きしたデータを情報記録用シート５に記録および表示させることが可能である。同様に、外部記憶媒体７に格納されたデータの記録および表示を行う場合においても、何らかの情報が表示された状態の情報記録用シート５に手書入力により追記することも可能である。
【０１０２】
手書入力方式としていくつかの例を説明する。図９（ａ）に感圧方式の手書入力を採用した手法を示す。感圧方式の手書入力方式では、上面カバー３０の表面に感圧方式手書入力感知部材３７を設け、この入力感知部３７に手書入力部材７６を用いて圧力を加えて手書入力する。感圧式手書入力感知部材３７で検出した手書入力データを情報記録表示装置１内の記憶部（ＲＡＭ）８２に記憶するとともに、透明画素電極群３２の個別透明画素電極に電圧を印加して情報記録用シート５に表示する。
【０１０３】
このような感圧方式手書入力方式に代えて静電誘導方式の手書入力とすることができる。この静電誘導方式手書入力では、静電気を発生するように構成した静電誘導方式手書入力部材７６を用いて上面カバー３０に設けた静電誘導方式手書入力感知部材３７に手書入力し、静電誘導方式手書入力感知部材３７で検出した手書入力データを情報記録表示装置内の記憶部（ＲＡＭ）８２に記憶するとともに、透明画素電極群３２の個別透明画素電極に電圧を印加して情報記録用シート５に表示する。
【０１０４】
感圧方式の手書入力は、新携帯情報ツールザウルス（シャープ），電子手帳（シャープ）・プロステーション（シャープ）等が代表的な例である。静電誘導方式の手書入力は、パームトップＰＣＴ−５００（ソニー）等に採用されている。
【０１０５】
手書入力方式として電磁誘導方式の手書入力を採用した手法を図９（ｂ）を用いて説明する。電磁誘導方式の手書入力は、電磁誘導方式の手書入力感知部材４０を装置本体１０の下面もしくはシートセット部１１の底面に設け、先端から磁束を形成する電磁誘導方式の手書入力部材７６を用いて手書入力する。手書入力された手書入力データを情報記録表示装置内の記憶部（ＲＡＭ）８２に記憶し、情報記録用シート５に表示する。電磁誘導方式の手書入力として、ＰＥＮＴＯＰ（ワコム）等がある。
【０１０６】
手書入力方式として発信局となる微弱電波発信機７７と複数の小型の受信機４１とから構成される小型ＧＰＳ方式の手書入力を採用した手法を図９（ｃ）を用いて説明する。この小型ＧＰＳ方式手書入力は、コードレスの手書入力部材７６に設けた微弱電波発信機７７から微弱電波を発信し、情報記録表示装置１の装置本体１０内に設けた複数の受信機４１で、この電波を受信し、それぞれの受信機に置ける電波到達時間の差等を演算して、上面カバー３０の透明部材３１上における手書入力部材７６の位置を感知する。
【０１０７】
各方式で感知された、手書入力部材７６による入力位置の座標データもしくはベクトルデータは、情報記録表示装置内の記憶部（ＲＡＭ）８２に一旦記憶され、情報記録表示装置のＣＰＵの処理により電極駆動回路３４に送られ、筆跡に対応する透明画素電極に電圧印加することによって、手書入力の筆跡を情報記録用シート５に記録および表示する。
【０１０８】
操作部１４の操作によって、情報記録表示装置内の記憶部（ＲＡＭ）８２に記憶した手書きデータを外部記憶媒体７に保存することも可能である。すなわち、操作部１４の記録ボタン１４４を押すことによって情報記録表示装置内の記憶部（ＲＡＭ）８２に一旦記憶された手書入力データを、情報記録表示装置内のＣＰＵ８８の働きによりインタフェース８３を介して外部記憶媒体７に記憶させることができる。
【０１０９】
外部記憶媒体７への上書き保存または新規保存の選択は、記録ボタン１４４を押す回数もしくは押す時間長により選択することができる。また、外部記憶媒体７への上書き保存または新規保存の選択は、記録ボタン１４４を押すことによって操作部１４に設けた表示部に上書き保存および新規保存選択の画面（選択ボタン）を表示し、入力部材７６を用いて採用する選択ボタンにタッチすることにより選択する方法でもよい。
【０１１０】
一方、操作部１４の消去ボタン１４５を押すことにより、手書入力部材７６を消去ツールに変更することができる。消去方法は、消去範囲を手書入力部材７６を用いて範囲指定する広域消去、もしくは手書入力部材７６で入力部分のみを消去する微細消去を行うことができる。広域消去における範囲指定は、消去範囲の輪郭入力、あるいは四角形状消去の対角線入力等を採用することができる。広域消去と微細消去の選択は、手書入力部材７６での画面へのクリック方法による選択、または消去ボタン１４５を押すことにより表示部に広域消去および微細消去選択の画面（選択ボタン）を表示し、入力部材７６で採用する選択ボタンにタッチすることにより選択する方法でもよい。
【０１１１】
なお、消去ボタン１４５により消去モードになっている間は、画面上もしくは操作部１４に設けた表示部になんらかの消去モードを明示する表示を行い、誤操作により誤って記録情報が消去されてしまわないように構成することができる。また、誤操作によって誤って記録情報を消去した場合、消去前の記録情報に復活できる選択画面（ボタン）を表示し、誤消去した記録情報を復活させるように構成することができる。
【０１１２】
図１０の機能ブロック図を用いて、第２の実施の形態にかかる情報記録表示装置の機能構成を説明する。第２の実施の形態にかかる情報記録表示装置１は、第１の実施の形態にかかる情報記録表示装置１の構成に、手書入力部材７６によって書き込まれた入力を検知する手書入力検知部８９を追加した点に特徴を有しており、その他の構成要素は第１の実施の形態にかかる情報記録表示装置と同様であるので、説明を省略する。
【０１１３】
手書入力部材７６は、入力検出手段が感圧方式の書込感知部材３７であるときには、該書込感知部材３７に圧力を与えるペン型の入力部材であり、静電誘導方式の書込感知部材３７であるときには、静電誘導方式の手書入力部材７６を用いる。手書入力部材７６は、入力検出手段が電磁誘導方式の書込感知部材４０であるときには、該部材に電界を及ぼす電磁誘導方式の入力部材であり、小型ＧＰＳ方式の受信機４１であるときには、微弱電波を発信する微弱電波発信機７７を備えた手書入力部材７６を用いる。
【０１１４】
つぎに、本発明の第３の実施の形態にかかる情報記録用シート挿入タイプの情報記録表示装置の構造を図１１および図１２を用いて説明する。図１１は、第２の実施の形態にかかる情報記録表示装置の外観形状を示す斜視図であり、図１２は図１１のＣ‐Ｃ線での断面形状を模式的に示す一部を省略した縦断面図である。
【０１１５】
上記の第１の実施の形態にかかる情報記録表示装置は、上面カバー３０が開閉するタイプの情報記録表示装置であったが、第３の実施の形態にかかる情報記録表示装置は、上面カバー３０と装置本体１０が一体となった形態であり、情報記録用シート５を情報記録表示装置１の装置本体１０の側面から挿入して装着するタイプの装置である。
【０１１６】
図に示すように、この情報記録表示装置１は、上面カバー３０を装置本体１０と一体に形成するとともに、情報記録用シート５を挿入するシート挿入口１７を、装置本体１０の側面に有しており、装置本体１０内で情報記録用シート５を支持するシート支持機構２０を備えた点に特徴を有している。この実施の形態にかかる情報記録表示装置１の構造を説明する図において、第１の実施の形態と同様な構成要素は同一の符号を付している。
【０１１７】
シート挿入口１７に続く装置本体１０の内部には、シート挿入部１８が形成されている。シート挿入口の高さｇおよびシート挿入部１８の内部高さｈはシート厚みｆよりも十分に広い高さになっており、挿入時にシートが引っかかったり、折れ曲がったりすることがないようになっている。
【０１１８】
すなわち、シート挿入口１７のシート挿入部１８の内部高さｈは、情報記録用シート５の厚みをｆとし、シート挿入口１７の開口高さをｇとすると、ｆ＜ｈ＜＜ｇとなるよう設計され、開口高さｇから内部高さｈへ滑らかに変化しており、スムーズに情報記録用シート５を出し入れでき、シート挿入部の奥まで情報記録用シート５自体のコシを利用して情報記録用シート５が誘導されるようになっている。
【０１１９】
シート挿入部１８内の奥壁面には情報記録用シート５が正しく挿入されたことを検知するシート端センサー２５および情報記録用シート５が変形部材１２と樹脂薄膜３３に正しく圧接したことを検出するシート圧接センサー２６が設けられている。情報記録用シート５のシート端がシート端センサー２５に到達すると、シート支持機構２０の働きによってシート挿入部１８の底面が上面カバー３０側に移動し、シート挿入部１８の底面がシート５を持ち上げ上面カバー３０に圧着させるようになっている。
【０１２０】
シート挿入部１８の底面は、第１の実施の形態にかかる開閉タイプの装置と同様の変形部材１２を有し、変形部材１２を持ち上げ情報記録用シート５を上面カバー３０に圧着するためのシート支持機構２０から形成されている。
【０１２１】
シート支持機構２０は、装置本体１０とシート挿入部１８内の底面をギア等を用いて電動式で上下させる機構、あるいは、装置本体１０とシート挿入部１８の底面の裏側間の空隙部にラテックス製等の弾性部材でできた袋状のバネ材を設け、装置本体１０に備えられた小型の排気・吸気両用ポンプを用いて袋内の空気圧を調整することにより、情報記録用シート５を上面カバー３０の樹脂薄膜３３に密着させたり開放したりする機構等を用いることができる。
【０１２２】
情報記録用シート５のシート端部がシート挿入部の奥に到達したことを感知するシート端センサー２５として感圧式センサーを、情報記録用シート５が変形部材１２と上面カバー３０の樹脂薄膜３３に密着したことを検出するシート圧接センサー２６として、変形部材１２または樹脂薄膜３３部のいずれか一方に設けたフォトダイオードと他方に設けたＬＥＤからなる光学式センサーを用いることができる。
【０１２３】
この構成を有する情報記録表示装置１は、情報記録用シート５をシート挿入口１７から挿入し、シート端がシート挿入部１８の奥に達したことをシート端センサー２５が検出すると、シート支持機構２０が動作して情報記録用シート５を上面カバー３０の樹脂薄膜３３に密着させる。情報記録用シート５が正常な位置にセットされたことをシート圧接センサー２６が検出すると、情報の書込処理または消去処理を可能として、それぞれの処理を行なう。これらの処理は第１の実施の形態と同様であり、詳細な説明は省略する。
【０１２４】
つぎに、本発明の第４の実施の形態にかかる機密情報記録表示システムにおける機密情報記録表示装置の構成を、図１３〜図１５を用いて説明する。この実施の形態にかかる機密情報記録表示装置は、通常の状態では顕像化していない機密情報記録用シートに記録された情報を特定の装置によってのみ顕像化させるようにした機密情報記録表示システムであり、機密用情報記録シートおよび機密情報記録表示装置とから構成される。
【０１２５】
図１３は、この実施の形態にかかる機密情報記録表示システムの構成を説明する外観斜視図であり、図１３（ａ）は装置に情報記録用シートをセットし顕像化処理が実行される前の状態を、図１３（ｂ）は顕像化処理を実行した後の状態を、図１３（ｃ）は情報記録用シートを取り出した状態を示している。図１４は機密情報記録表示装置の上面カバーの構造を模式的に示す縦断面図である。図１５は、この機密情報記録表示装置を用いた機密情報記録表示システムの構成を概念的に説明する図である。
【０１２６】
この実施の形態にかかる機密情報記録表示システムは、機密情報記録表示装置１Ｓと機密情報記録用シート５Ｓとから構成される。
【０１２７】
図１３に示すように、この実施の形態にかかる機密情報記録表示システムにおいては、単に機密情報記録用シート５Ｓが機密情報記録表示装置１Ｓにセットされた状態では上面カバー３０Ｓの画面にはスクランブルされた画像が表示される（図１３（ａ））。顕像化処理を実行することによって、初めて上面カバー３０Ｓの顕像化部材３８のスクランブル機能が解除され、顕像化された状態でのみ記録内容の表示が可能となる（図１３（ｂ））。機密情報記録表示装置１Ｓから機密情報記録用シート５Ｓをはずした状態では、機密情報記録用シート５には何も表示されず、記録内容を読み取ることができない（図１３（ｃ））。
【０１２８】
機密情報記録表示装置１Ｓは、装置本体１０Ｓと上面カバー３０Ｓとから構成される。上面カバー３０Ｓは、図１４に示すように、第１から第３の実施の形態に示した上面カバー３０とほぼ同様な構成を有しているが、透明基板３１の外側表面に顕像化部材３８を有する点に特徴が有る。
【０１２９】
機密情報記録用シート５Ｓは、前述の情報記録用シート５と同様に、電圧印加によるシートへの表示データの記録が可能であるが、前述の情報記録用シート５と異なり、機密情報記録表示装置１Ｓの上面カバー３０Ｓに有する顕像化部材３８によって、初めて記録されたデータが顕像化される。
【０１３０】
すなわち、機密情報記録用シート５Ｓは、基本的に図１に示した情報記録用シート５の構成と同様でありここにはあらためて図示しないが、情報記録用シート５における液晶層５３の液晶材料が異なっている。
【０１３１】
機密情報記録用シート５Ｓの液晶層５３としては、コレステリック液晶、ネマティック液晶（ＴＮ、ＳＴＮ）、スメクチック液晶等、偏光子を用いなければ顕像化されない材料等を用いる。顕像化部材３８としては、印加する電圧により透明／不透明が切り換えられる透過／白濁モードの高分子分散液晶等、または偏光子を有する透過／黒モードの一般の透過型液晶パネル等を用いることができる。
【０１３２】
機密情報記録表示装置１Ｓは、企業やその他の団体内部での機密情報の記録および閲覧に利用できる。このシステムの利用態様をその概念図である図１５を用いて説明する。
【０１３３】
機密情報記録表示装置１Ｓは、企業等の団体内に構築されるコンピューターネットワーク６０等への接続が可能であり、機密情報の閲覧が許可される者の固有認証番号をサーバ６１等に登録する。機密情報を閲覧しようとする者がその固有認証番号ＩＤＮｏ．を入力すると、サーバ６１において機密情報記録用シート５Ｓのデータ記録部５７に記録されたデータを用いて認証番号照合が行われ、入力された固有認証番号が登録された認証番号と一致したときに、顕像化部材３８によるスクランブルを解除して機密情報記録用シート５Ｓに記録された情報を読み取ることができるようにする。入力された固有認証番号が未登録認証番号であるときには、機密情報記録表示装置１Ｓのスクランブル機能が解除されず、表示ができない仕組みになっている。
【０１３４】
このため、万が一機密情報記録用シート５Ｓが部外者に流出しても、機密情報記録用シート５Ｓ単体では内容判読が不可能であり、機密情報記録表示装置１Ｓを入手しても、固有認証番号を入力しない限り、機密情報記録用シート５Ｓに記録された機密情報を読取ることはできない。
【０１３５】
認証番号の入力は、機密情報記録用シート５Ｓのセット時に、認証番号入力画面６２が表示され、ページめくりボタン１４２、１４３をナンバー入力キー、記録ボタン１４４を確定ボタンとして行うことが出来る。また、機密情報記録用シート５Ｓのセット時に、画面に認証番号入力画面６２とともにテンキーボタンが表示され入力部材７６でタッチすることにより認証番号入力する方法でもよい。
【０１３６】
図１６の機能ブロック図を用いて、第４の実施の形態にかかる機密情報記録表示装置１Ｓの機能構成を説明する。第４の実施の形態にかかる機密情報記録表示装置１は、第３の実施の形態にかかる情報記録表示装置１の構成に、認証番号照合部（サーバ）６１からの認証によって記録を顕像化処理する顕像化処理手段８０を追加した点に特徴を有しており、その他の構成要素は第３の実施の形態にかかる情報記録表示装置と同様であるので、説明を省略する。
【０１３７】
図１７を用いて、上記第１〜第３の実施の形態にかかる情報記録表示装置、上記第４の実施の形態にかかる機密情報記録表示装置に共通して用いられる電源供給方式を説明する。
【０１３８】
上記した情報記録表示装置１，１Ｓの電源供給は、装置本体１０の内部に設けた再充電可能な電池などの内部電源を使用する態様のほかに、装置本体１０に設けたコネクタ９３にＡＣ／ＤＣコンバータ９１１を設けた電源コード９１を接続し、家庭用ＡＣ電源に接続する態様（図１７（ａ））や、携帯用ＤＣ電源９２を情報記録表示装置にセットする態様（図１７（ｂ））があり、操作部１４の電源ボタン１４１のＯＮ／ＯＦＦ操作によって行う。
【０１３９】
携帯用ＤＣ電源９２は、電池もしくは家庭用ＤＣ電源で充電可能な充電バッテリを用いることができる。
【０１４０】
以上のように、本発明は、文字・画像等の情報の書換えが自在でありこの情報を表示するとともに記憶することができる情報表示媒体（情報記録用シート）と、該情報表示媒体に情報を記録する情報記録表示装置とからなる情報記録表示システムを構成する情報記録表示装置であって、前記情報表示媒体（情報記録用シート）に表示する情報を書換自在に記憶する情報記憶手段（記憶媒体挿入部、記憶部）と、前記情報表示媒体を装着する媒体装着手段（シートセット部、装置本体）と、前記情報表示媒体に前記情報記憶手段の情報を書き込む情報書込手段（透明画素電極、電極駆動回路、樹脂薄膜、情報書込処理手段）と、前記情報表示媒体を前記媒体装着手段に密着させる媒体密着手段（変形部材、シート支持機構）とを備えることにより、情報表示媒体を情報記録表示装置の媒体装着手段にセットして情報書込手段に密着させることによって、情報表示媒体に情報を書き込むことができる。
【０１４１】
以上のように、本発明は、文字・画像等の情報の書換えが自在でありこの情報を表示するとともに記憶することができる情報表示媒体（情報記録用シート）と、該情報表示媒体に情報を記録する情報記録表示装置とからなる情報記録表示システムを構成する情報記録表示装置であって、前記情報表示媒体（情報記録用シート）に表示する情報を書換自在に記憶する情報記憶手段（記憶媒体挿入部、記憶部）と、前記情報表示媒体を装着する媒体装着手段（シートセット部、装置本体）と、前記情報表示媒体に前記情報記憶手段の情報を書き込む情報書込手段（透明画素電極、電極駆動回路、樹脂薄膜、情報書込処理手段）と、前記情報表示媒体を前記媒体装着手段に密着させる媒体密着手段（変形部材、シート支持機構）とを備えることにより、情報表示媒体を情報記録表示装置の媒体装着手段にセットして情報書込手段に密着させることによって、情報表示媒体に情報を書き込むことができる。
【０１４２】
また、この発明によれば、媒体保持手段（上面カバー）によって情報記録媒体を交換可能に保持することができ、記録媒体をはさんだままの状態で情報記録表示装置を携帯性を有する表示装置として使用することができる。
【０１４３】
さらに、この発明によれば、媒体搬入手段（シート挿入口）を備えたので情報記録媒体を交換可能に保持することができ、記録媒体をはさんだままの状態で情報記録表示装置を携帯性を有する表示装置として使用することができる。
【０１４４】
上記の説明では、第１の実施の形態では情報表示媒体を媒体保持手段によって保持する態様を示し、第２の実施の形態では媒体挿入手段を設けたが、請求項１の発明においては媒体保持手段または媒体挿入手段は必須のものではなく、媒体密着手段を有し駆動電圧がシートにかかりさえすれば、その目的を十分に達成することができる。
【０１４５】
【発明の効果】
請求項１の発明によれば、装置本体１０の弾性部材（変形部材）１２の弾性力により情報記録用シート５と透明画素電極群１０を有する書込手段を確実に全面接触させることができるので、情報記録用シート５の浮きによって所定の書込電圧がシートに十分に印加されず書込みが出来ない状態を防ぐことができる。
【０１４６】
請求項２の発明によれば、請求項１の発明と同様に、情報記録用シート５の浮きによって所定の書込電圧がシートに十分に印加されず書込みが出来ない状態を防ぐことができる。また、情報記録表示装置１がどのような角度配置になっても情報記録表示装置１に扶持されたシートの位置がずれたりシートが外れたりすることがない。よって情報記録表示装置１を水平状態でのみ使用する必要がなく、携帯性を付加させることができ、さらにディスプレイ的な用途として使用することができる。
【０１４７】
請求項３の発明によれば、シートの設置の際に上面カバーを開閉する必要がなく、また上面カバーおよび装置本体を一体化できるので、耐久性が良く、かつ取り扱い性、携帯性に優れた形態を実現できる。
【０１４８】
請求項４の発明によれば、機密文書を機密用シートで作成することにより、機密文書の流出によって機密情報が漏洩することなく、必要時のみ機密情報記録表示装置に機密用シートを挟持させ機密文書の内容を確認することができるので、機密文書の機密性をさらに向上させることができる。
【０１４９】
請求項５の発明によれば、万が一機密用シートが部外者に流出しても、機密用シート単体では内容判読が不可能であり、機密情報記録表示装置を入手しても、固有認証番号を入力しない限り、機密用シートに記録された機密情報を読み取ることができないので、機密文書の機密性をさら向上させることができる。
【０１５０】
請求項６の発明によれば、情報記録用シート５が正常位置に配置されないまま情報記録表示装置１に保持された場合に、書込手段が電圧を印加する領域とシート領域がずれ、表示が成されない部分が生じることを防ぐことができる。
【０１５１】
また、シートサイズが書込情報の表示領域サイズより小さい場合、書込手段が電圧を印加する領域がシート領域よりも大きいために表示されない部分が生じることを防ぎ、書込情報の表示領域サイズをシートサイズに対応させることができる。
【０１５２】
請求項７の発明によれば、手書入力手段によって装置の各種動作を制御できるので、情報記録表示装置に操作用ボタン等を増設することなく多様な操作が可能となり、情報記録表示装置の携帯性や小型化を妨げることなく多機能化することができる。
【０１５３】
請求項８の発明によれば、消去モードを設定することにより、手書入力手段を消去手段としても併用でき、消去用ボタン等を増設せずに消去動作を行うことができる。
【０１５４】
請求項９の発明によれば、ペンタイプの手書入力手段を消去手段として利用することにより、消去範囲を簡便にかつ多様な形状にて指定することができる。
【図面の簡単な説明】
【図１】本発明にかかる情報記録表示システムにおいて使用される情報記録用シートの構造を示す縦断面図。
【図２】本発明の第１の実施の形態にかかる情報記録表示装置の概略構成を示す外観斜視図。
【図３】図２の情報記録表示装置のＡ‐Ａ線での縦断面図。
【図４】上記情報記録表示装置の上面カバー部を開放した状態での側面図。
【図５】上記情報記録表示装置の上面カバー部のシート接触面側より見た平面図。
【図６】上記情報記録表示装置の装置本体のシート接触面側より見た平面図。
【図７】図６に示した情報記録表示装置の図Ｂ‐Ｂ線での縦断面図。
【図８】情報記録表示装置の機能構成を示す機能ブロック図。
【図９】本発明の第２の実施の形態にかかる手書入力方式を採用した情報記録表示装置の構造を説明する縦断面図。
【図１０】図９に示した情情報記録表示装置の機能構成を示す機能ブロック図。
【図１１】本発明の第３の実施の形態にかかる情報記録表示装置の構造を説明する外観斜視図。
【図１２】図１１に示した形態の情報記録表示装置のＣ‐Ｃ線での縦断面図。
【図１３】本発明に第４の実施の形態にかかる機密情報記録表示装置における機密保持の機能を説明する斜視図。
【図１４】図１３の機密情報記録表示装置の上面カバーの構造を説明する縦断面図。
【図１５】図１３の機密情報記録表示装置をコンピュータに接続した構成を説明する図。
【図１６】図１３の機密情報記録表示装置の機能構成を示す機能ブロック図。
【図１７】本発明にかかる情報記録表示装置の電源供給部を説明する斜視図。
【符号の説明】
１  情報記録表示装置
１Ｓ  機密情報記録表示装置
５  情報記録用シート
５Ｓ  機密情報記録用シート
７  外部記憶媒体
１０  装置本体
１１  シートセット部
１１１  くぼみ
１２  変形部材
１３  感圧タブレット
１４  操作部
１４１  電源ボタン
１４２  ページ送りボタン
１４３  ページ戻りボタン
１４４  情報記録ボタン
１４５  情報消去ボタン
１５  開閉感知部
１５１  第１の開閉感知部材
１５２  第２の開閉感知部材
１６  外部記憶媒体挿入部
１７  シート挿入ロ
１８  シート挿入部
１９  ヒンジ
２０  シート支持機構
２１  閉じ具
２１１  第１の閉じ具
２１２  第２の閉じ具
２５  シート端センサー
２６  シート圧接センサー
３０  上面カバー
３１  透明基板
３２  透明画素電極群
３３  樹脂薄膜
３４  電極駆動回路
３５  フレーム
３６  シート検知部
３７  感圧方式（静電誘導方式）手書入力感知部材
３８  顕像化部材
４０  電磁誘導方式手書入力検知部材
４１  受信機
５１  第１の保護層
５２  第２の保護層
５３  液晶層
５４  接着層
５５  導電層
５６  回込部
５７  データ記録部
６０  コンピュータネットワーク
６１  サーバ（暗証番号照合部）
６２  暗証番号入力画面
７５  コンピュータ／コンテンツ配信システム
７６  手書入力部材
７７  微弱電波発信機
８０  顕像化処理部
８１  読取・書込処理部
８２  記憶部（ＲＡＭ）
８３  インタフェース
８４  シート位置検知部
８５  シートサイズ検知部
８６  情報書込処理部
８７  情報消去処理部
８８  ＣＰＵ
８９  手書入力検知部
９１  電源コード
９１１  Ａ／Ｄコンバータ
９２  携帯用ＤＣ電源
９３  コネクタ
【図１】
0003658537.tif 000002
【図２】
0003658537.tif 000003
【図３】
0003658537.tif 000004
【図４】
0003658537.tif 000005
【図５】
0003658537.tif 000006
【図６】
0003658537.tif 000007
【図７】
0003658537.tif 000008
【図８】
0003658537.tif 000009
【図９】
0003658537.tif 000010
【図１０】
0003658537.tif 000011
【図１１】
0003658537.tif 000012
【図１２】
0003658537.tif 000013
【図１３】
0003658537.tif 000014
【図１４】
0003658537.tif 000015
【図１５】
0003658537.tif 000016
【図１６】
0003658537.tif 000017
【図１７】
0003658537.tif 000018